(57)【特許請求の範囲】
【請求項１】
乾燥機における加熱空気が循環する循環路に設けられ、空気をガスバーナで加熱する乾燥機用加熱装置であって、
前記循環路内に、前記循環路を上流側と下流側で区切る上流側板と、該上流側板から循環方向下流側にのびて周囲から区切る側板を有した燃焼室を備え、
該燃焼室の内部における循環方向上流側の部位に前記ガスバーナを備えるとともに、
前記ガスバーナの空気取り入れ口が前記循環路の外部に形成され、
前記燃焼室の少なくとも循環方向上流側の部分が、前記燃焼室の前記上流側板と前記側板との間に空間をあけて前記循環路を区切る隔室で覆われるとともに、
前記循環路の外部と連通して前記燃焼室の周りに空気を取り入れる吸気口が形成された
乾燥機用加熱装置。
【請求項２】
前記燃焼室よりも循環方向下流側に、前記循環路における前記燃焼室に対応する部位を循環方向の上流側と下流側で区切る蓋板が形成されるとともに、
該蓋板の外周縁に、循環方向上流側に向けて前記燃焼室の下流側部分と隙間をあけて重なり合う位置まで延びる整流板が形成された
請求項１に記載の乾燥機用加熱装置。
【請求項３】
前記隔室の循環方向下流側である下流側部分が前記整流板との間に隙間をあけて前記整流板より内側に位置している
請求項２に記載の乾燥機用加熱装置。
【請求項４】
前記燃焼室が循環方向下流側の端部の全体を塞ぐ閉塞板を有するとともに、該閉塞板より循環方向上流側の前記側板に排熱口を有する
請求項１から請求項３のうちいずれか一項に記載の乾燥機用加熱装置。
【請求項５】
請求項１から請求項４のうちいずれか一項に記載の乾燥機用加熱装置を備えた
衣服の乾燥仕上げ装置。
【請求項６】
トンネル状の乾燥室の上部と下部が前記循環路で接続され、
前記循環路の下部に、前記乾燥室と並べた状態で請求項１から請求項４のうちいずれか一項に記載の乾燥機用加熱装置を備えるとともに、
該乾燥機用加熱装置より循環方向下流側に送風機を備えた
衣服のトンネル式乾燥仕上げ装置。
【発明の詳細な説明】
【技術分野】
【０００１】
この発明は、乾燥機に用いられる加熱装置に関し、より詳しくは、たとえば衣服などの被乾燥物のように大量の熱風で乾燥させる場合に好適に用いられるような乾燥機用加熱装置に関する。
【背景技術】
【０００２】
乾燥機で熱風（加熱空気）を生成するための熱源にはスチームヒータやガスバーナが用いられている。
【０００３】
これらのうちガスバーナは、燃焼に必要な量の空気がベンチュリ効果によって継続的に供給されるので、完全燃焼が安定してなされる利点がある。このため熱交換器を用いる間熱式でも、空気を直接加熱する直火式でも使用できる。
【０００４】
しかし、熱効率を高めようとして直火式を採用した場合、スチームヒータを用いる場合と同様に循環路のように大量の空気が流れる部位にガスバーナを備えると、ガスバーナの炎口部分で空気が吸引され過ぎて空気過剰な状態になってしまうおそれがある。この場合には、ガス噴出速度と燃焼速度のつり合いが崩れて、火炎が消えてしまったり、いわゆる逆火といわれる現象が発生したりすることになる。
【０００５】
下記特許文献１には、周囲の強制的な空気の流れによって炎口近傍が負圧になることを防止する火炎安定手段を備えたバーナ装置が開示されている。
【先行技術文献】
【特許文献】
【０００６】
【特許文献１】特許第４７３７６７９号公報
【発明の概要】
【発明が解決しようとする課題】
【０００７】
この発明は、ガスバーナを用いてもバーナの特別な構成によらずに高い安全性を得られるようにすることを主な目的とする。
【課題を解決するための手段】
【０００８】
そのための手段は、乾燥機における加熱空気が循環する循環路に設けられ、空気をガスバーナで加熱する乾燥機用加熱装置であって、前記循環路内に、前記循環路を上流側と下流側で区切る上流側板と、該上流側板から循環方向下流側にのびて周囲から区切る側板を有した燃焼室を備え、該燃焼室の内部における循環方向上流側の部位に前記ガスバーナを備えるとともに、前記ガスバーナの空気取り入れ口が前記循環路の外部に形成され、前記燃焼室の少なくとも循環方向上流側の部分が、前記燃焼室の前記上流側板と前記側板との間に空間をあけて前記循環路を区切る隔室で覆われるとともに、前記循環路の外部と連通して前記燃焼室の周りに空気を取り入れる吸気口が形成された乾燥機用加熱装置である。
【０００９】
この構成でガスバーナは、燃焼室の上流側板と側板によって、循環路を流れる加熱空気流から隔離される。一方で、ガスバーナに対する空気の供給は、循環路の外部に設けられた空気取り入れ口から行われる。このためガスバーナは、循環路内を流れる空気流から悪影響を受けずに燃焼を継続できる。
【発明の効果】
【００１０】
この発明によれば、ガスバーナの燃焼に際して周囲を流れる空気流は悪影響を及ぼさないので、乾燥機の運転において高い安全性を得られる。しかもこの発明は、ガスバーナに付する特別な構成によって空気流による悪影響を防止するものではないので、例えばその特別な構成が目詰まりを起こしたような場合であっても作用を持続できる。
【図面の簡単な説明】
【００１１】
【図１】トンネルフィニッシャの概略構造の要部断面正面図。
【図２】図１におけるＡ−Ａ断面図。
【図３】図２におけるＢ−Ｂ断面図。
【図４】ダクトの斜視図。
【図５】燃焼室の斜視図。
【発明を実施するための形態】
【００１２】
この発明を実施するための一形態を、以下図面を用いて説明する。  
図１に、乾燥機の一例として、衣服の仕上げ乾燥を行うトンネル式仕上げ乾燥装置、いわゆるトンネルフィニッシャ１１の概略構造を示す。
【００１３】
トンネルフィニッシャ１１は、所定長さのトンネル状の乾燥室１２を備えている。乾燥室１２は、ハンガ１３に吊り下げた衣服１４を搬送するスクリュコンベア１５を上部に備えており、上部には加熱空気が入る流入口１６を、下部には衣服１４に作用した加熱空気が出る流出口１７を有している。
【００１４】
これら流出口１７と流入口１６は循環路１８で接続されている。すなわち加熱空気が循環する循環路１８は、トンネルフィニッシャ１１の底部で流出口１７から乾燥室１２の側部に導く導出部１８ａと、この導出部１８ａの先から乾燥室１２に沿って上方へのびる縦筒部１８ｂと、縦筒部１８ｂの先から乾燥室１２の上部の流入口１６に導く導入部１８ｃを有している。このため、衣服１４を乾燥させる加熱空気は乾燥室１２の流出口１７から、導出部１８ａ、縦筒部１８ｂ、導入部１８ｃ、乾燥室１２の流入口１６と順に流れることになる。
【００１５】
循環路１８の下部、具体的には縦筒部１８ｃの下部に、乾燥機用加熱装置２１（以下、「加熱装置」という）が乾燥室１２と並べた状態で備えられている。また縦筒部１８ｂにおける加熱装置２１より上方である還流方向下流側に送風機２２が備えられている。循環路１８にはそのほか、必要な排気口など（図示せず）が設けられる。
【００１６】
加熱装置２１は、循環路１８内を流れる空気をガスバーナ２３で直接加熱する装置であり、循環路１８の縦筒部１８ｂを構成するダクト２４内に形成される。
【００１７】
図２はダクト２４における図１のＡ−Ａの断面図で、図３は図２のＢ−Ｂ断面図である。これらの図に示すように加熱装置２１は、ダクト２４の中に、燃焼室２５と、整流部２６と、隔室２７を備えて構成される。
【００１８】
ダクト２４は横断面が長方形状の角筒状であり、内部の全体が循環路１８であって、ダクト２４の外部は循環路１８の外部である。
【００１９】
図４にダクト２４の斜視図を示す。横断面形状において長さの長い左右方向の中間部に加熱装置２１は形成される。加熱装置２１を構成する整流部２６と隔室２７は、ダクト２４の横断面形状における長さの短い前後方向全体にのびる仕切りで区切って構成される。燃焼室２５は、図５に示したように中空箱状に形成され、隔室２７の内側に隔室２７との間に空間をあけた状態で装着される。そしてガスバーナ２３は、図２、図３に示したように、燃焼室２５内の下部に収容される。
【００２０】
具体的に説明すると、まず燃焼室２５は耐熱鋼で形成され、図５に示したように循環路１８を上流側と下流側で区切る、つまりダクト２４を上下に仕切る上流側板３１と、上流側板３１から循環方向下流側、つまり上方にのびて周囲から区切る側板３２を有する。上流側板３１の左右方向の長さは、ダクト２４の左右方向の長さよりも短く、ダクト２４の前後方向の長さよりも短い方形状に形成され、この上流側板３１の４辺位置に、方形状の側板３２が形成されている。これら４枚の側板３２のうち、乾燥室１２とは反対側に位置する１枚の側板３２ａの下部には、ガスバーナ２３を差し込む部分であるバーナ差し込み口３３が形成されている。バーナ差し込み口３３は側板３２の表面よりも若干突出して形成されている。側板の高さは、ガスバーナ２３を収容して燃焼させても火炎の上方に十分な空間を得られる高さに設定されている。
【００２１】
また、４枚の側板３２の上端高さは同一であり、燃焼室２５の循環方向下流側の端部、つまり側板３２の上端部には、上端部の全体を塞ぐ水平な閉塞板３４を有する。そして４枚の側板のうち、バーナ差し込み口３３を有する側板３２ａと直交する２枚の側板３２ｂは排熱口３５を有する。
【００２２】
排熱口３５は、閉塞板３４より循環方向上流側、つまり閉塞板３４の下側に形成される。排熱口の形状や大きさ、個数は適宜設定される。排熱口３５の個数が側板３２ｂにつき１個であり排熱口３５の形状が長方形である場合には、図５に示したように、よこ寸法ａを側板３２ｂの幅全体にわたる長さとし、たて寸法ｂを適宜の長さとするとよい。この場合たて寸法ｂは短くてよい。
【００２３】
このような構造の燃焼室２５の内部における循環方向上流側の部位、つまり燃焼室２５内の下部に、図２、図３に示したように、炎口２３ａを循環方向下流側、つまり上に向けてガスバーナ２３が備えられる。ガスバーナ２３はバーナ差し込み口３３から差し込んで保持される。
【００２４】
つぎに隔室２７について説明する。隔室２７は、前述のように循環路１８、つまりダクト２４を前後方向全体にのびる仕切りで区切って構成され、図４に示したように燃焼室２５の少なくとも循環方向上流側の部分、すなわち下側部分を、燃焼室２５の上流側板３１と側板３２との間に空間をあけて覆うものである。隔室２７はダクト２４を前後方向の仕切りで区切って構成されるので、隔室２７の前後方向の２面は、ダクト２４における対応する一部と共通である。つまり隔室２７は、水平方向に広がる底板４１と、垂直方向に広がる２枚の縦板４２を有し、これら底板４１と縦板４２で循環路１８の左右方向の中間部を区切る。底板４１の形成高さは、燃焼室２５の底である上流側板３１より下方に適宜の間隔を隔てた位置である。適宜の間隔は、燃焼室２５の周りに冷却用空気を取り込むのに必要な大きさである。縦板４２の上端位置は、ダクト２４の上端位置よりも低く、さらに図２、図３に示したように燃焼室２５の排熱口３５の高さよりも低い位置である。
【００２５】
隔室２７における乾燥室１２と反対側の側面、つまり燃焼室２５のバーナ差し込み口３３を有する側板３２ａに対応する位置の面、つまりダクト２４における乾燥室１２と反対側の面には、循環路１８の外部と連通して燃焼室２５の周りに空気を取り入れる吸気口４３が形成されている。吸気口４３は２箇所に形成される。一つの吸気口４３ａ（下側吸気口）は、隔室２７の底板４１より上であって燃焼室２５の上流側板３１よりの下の位置である。他の一つの吸気口４３ｂ（上側吸気口）は、下側吸気口４３ａの直ぐ上で、燃焼室２５のバーナ差し込み口３３の高さよりも高く形成されている。
【００２６】
この上側吸気口４３ｂは、燃焼室２５を取り付けたときに燃焼室２５のバーナ差し込み口３３と対応するので、上側吸気口４３ｂにおけるバーナ差し込み口３３に対応する部分より上側の部分が、燃焼室２５の周りに取り込む空気の実質的な吸気口４４となる。上側吸気口４３ｂのうちバーナ差し込み口３３に対応する部分は、循環路１８の外部に形成された、ガスバーナ２３の空気取り入れ口４５である。
【００２７】
下側吸気口４３ａと上側吸気口４３ｂは、いずれも燃焼室２５の左右方向の幅よりも若干狭い、左右方向に長い長方形である。
【００２８】
つづいて、整流部２６について説明する。整流部２６は、図４に示したように燃焼室２５よりも循環方向下流側に形成され、循環路１８における燃焼室２５と対応する部位を循環方向の上流側と下流側で区切る蓋板５１と、蓋板５１の外周縁に形成され、循環方向上流側、つまり下に向けて燃焼室２５の下流側部分、つまり上側部分と隙間をあけて重なり合う位置まで延びる整流板５２で構成される。
【００２９】
整流部２６はダクト２４を前後方向全体にのびる仕切りで区切って構成されるので、前述の蓋板５１は水平方向に広がり、前述の整流板５２は垂直方向に広がる。蓋板５１は、燃焼室２５の上端の閉塞板３４より上方に位置する。図示例において蓋板５１はダクト２４の上端に形成されており長方形である。蓋板５１の左右方向の長さは、燃焼室２５の左右方向の長さよりも長く、隔室２７の左右方向の長さよりも若干長い。そして整流板５２は、蓋板５１の左右方向の両端から垂設される。整流板５２の長さは、前述のように燃焼室２５の上側部分と重なり合うまで延びる長さである。このため、隔室２７における循環方向下流側である下流側部分、つまり上端側部分が整流板５２との間に隙間をあけて整流板５２より内側に位置することになる。隔室２７の縦板４２と整流部２６の整流板５２との間は排熱路５３である。
【００３０】
隔室２７の縦板４２と整流部２６の整流板５２との間の隙間やこの隙間をあけての重なり幅などは適宜設定される。
【００３１】
以上のように構成されたトンネルフィニッシャ１１では、加熱空気は次のように生成されて循環する。
【００３２】
ガスバーナ２３を点火して送風機２２を駆動すると、ガスバーナ２３は空気取り入れ口４５から燃焼に必要な空気を吸引しながら燃焼し、燃焼室２５内の空気を加熱する。このとき、空気取り入れ口４５とは別に吸気口４３から外部の空気が燃焼室２５の周囲に取り込まれるので、燃焼室２５の特に下部が冷却され、ガスバーナ２３自体が熱せられることを抑制する。
【００３３】
燃焼室２５内の空気はガスバーナ２３の火炎で直接加熱され、燃焼室２５の周囲の空気は間接に加熱されて、循環路１８を下流側、つまり上方へ移動する。燃焼室２５内で加熱された空気の熱は、燃焼室２５の側板３２ｂの上端部に形成された排熱口３１を通って燃焼室２５から出て、隔室２７内、そして整流部２６内に出る。この熱は隔室２７内を燃焼室２５に沿って上昇する空気と、循環路１８内であって隔室２７外の空間を上昇する空気を加熱する。加熱された空気は送風機２２で吸い上げられ、導入部１８ｃ、流入口１６を通って乾燥室１２に送られる。
【００３４】
乾燥室１２から、流出口１７、導出部１８ａを通って縦筒部１８ｂに入った空気は、隔室２７の外を上昇して、前述と同様に熱によって昇温されて乾燥室１２に供給される。このようにして加熱空気は生成されながら循環し、乾燥室１２内の衣服１４を乾燥仕上げする。
【００３５】
ガスバーナ２３は燃焼室２５に収容されており、ガスバーナ２３の燃焼のための空気は循環路１８の外部に形成した空気取り入れ口４５から供給するので、循環路１８を循環する空気とは非接触である。このため、循環路１８を循環する空気が大量で速度が速くても、火炎が消えたり、逆火現象が生じたりすることなく、安定した燃焼を実現できる。
【００３６】
しかも、燃焼室２５の下側部分を中心に隔室２７で覆って、外部の空気を取り入れる吸気口４３を形成して、燃焼室２５の特に下部を冷却する構成としたので、ガスバーナ２３が高温に熱せられることを抑制できる。この結果、空気流以外の別の原因に基づく逆火現象の発生も防止できる。このためより一層の安全性を得ることができる。
【００３７】
またガスバーナ２３は燃焼室２５内に収容されているので、循環路１８を循環する空気中のチリなどが火炎に触れることがなく、この点でも安全である。
【００３８】
加熱について付言すると、燃焼室２５は上端部に閉塞板３４を有し、側板３２ｂにおける閉塞板３４に近い位置に排熱口３５を形成しているので、蒸し焼きのような状況を作り、十分に熱した空気の熱を排出することができるので、加熱が効率よく行える。
【００３９】
そのうえ、加熱装置２１は整流部２６を備えているので、燃焼室２５の排熱口３５から出た熱で確実に空気を加熱できる。特に、隔室２７を備えて、整流部２６の整流板５２より内側に隔室２７の上端部を位置させ、これらの間に排熱路５３を形成しているので、燃焼室２５から出た熱を、排熱路５３を通して上流側、つまり循環路内の流れに逆らって下方に戻すことができる。このため、空気の加熱がじっくりと行え、確実な昇温ができる。この効果は、加熱装置２１よりも循環方向下流側に送風機２２を備えたことによっても高めることができる。すなわち、送風機２２の駆動による空気の流れを加熱装置２１に吹き付けなくて済むので気流を安定させることができるため、十分に加熱してから吸い上げることができる。
【００４０】
加えて、前述の構成は循環路１８を流れる空気とガスバーナ２３に供給される空気を区分したものであるので、高い安全性を期待できる。すなわち、逆火現象が起きないように空気の流れを規制する構成を有したガスバーナ２３を用いた場合、所望どおりの作用が持続すれば安全な運転が行われる。しかし、例えばその構成の機能を喪失させる目詰まりなどが不測に発生した場合には、所望の作用が得られなくなる。この点、前述のような空気の流れを区分する構成であるので、たとえ目詰まりなどの不測の事態が発生しても、それに影響されずに所望の作用を持続できる。
【００４１】
この発明の構成と前述の一形態の構成との対応において、  
この発明の乾燥機は、前述のトンネルフィニッシャに対応するも、この発明は前述の構成のみに限定されるものではなく、その他の構成を採用することもできる。
【００４２】
たとえば、乾燥機はトンネルフィニッシャ１１ではなく、静止型などの他の形態の乾燥機であってもよく、被乾燥物は衣服１４以外であってもよい。
【００４３】
循環路１８における乾燥機用加熱装置２１が備える位置は、前述例のように下から上に空気が流れる部分ではなく、横に流れる部分であっても、上から下に流れる部分であってもよい。
【００４４】
隔室２７は循環路１８を構成するダクト２４から独立して形成することもできる。
【符号の説明】
【００４５】
１１…トンネルフィニッシャ
１２…乾燥室
１８…循環路
２１…乾燥機用加熱装置
２２…送風機
２３…ガスバーナ
２５…燃焼室
２７…隔室
３１…上流側板
３２…側板
３４…閉塞板
３５…排熱口
４３…吸気口
４５…空気取り入れ口
５１…蓋板
５２…整流板
【図１】
0006639252.tif 000002
【図２】
0006639252.tif 000003
【図３】
0006639252.tif 000004
【図４】
0006639252.tif 000005
【図５】
0006639252.tif 000006